【事件の表示】
　特許第３２５５５５９号「椅子式エアーマッサージ機」の請求項１に係る特許に対する特許異議の申立てについて、次のとおり決定する。
【結　論】
　訂正を認める。
　特許第３２５５５５９号の請求項１に係る特許を取り消す。
【理　由】
１．手続の経緯
　特許第３２５５５５９号（請求項の数２）に係る発明についての出願は、平成７年６月２８日に特許出願され、平成１３年１１月３０日にその発明について特許権の設定登録がなされ、その後、請求項１に係る特許について、申立人・佐藤恵子より特許異議の申立がなされ、平成１５年３月１１日付けで取消しの理由が通知され、その指定期間内である平成１５年５月２３日に訂正請求がされたものである。
　
２．訂正の適否についての判断
（１）訂正の内容
ア．訂正事項ａ
　特許請求の範囲の請求項１に係る記載を以下のとおりに訂正する。
「座部を有する椅子本体と、
　前記座部に上下方向に回動可能に設けた脚載置台と、
　前記座部と前記脚載置台の少なくともいずれかに配設されたマッサージ用袋体と、
　前記脚載置台の裏側に配設され
この脚載置台を上下方向に回動させる
　エアー分配器を介して前記マッサージ用袋体および前記駆動用袋体にエアーを供給するエアー供給装置と、
　このエアー供給装置および前記エアー分配器を制御する制御手段とを具備し、
　前記制御手段で制御される前記エアー分配器によって、前記駆動用袋体を膨縮させて前記脚載置台を
上下方向に回動させ、
イ．訂正事項ｂ
　明細書の段落【０００７】を以下のとおりに訂正する。
「【課題を解決するための手段】
　この発明は上記従来の問題を解決するものであり、請求項１記載の発明は、座部を有する椅子本体と、前記座部に上下方向に回動可能に設けた脚載置台と、前記座部と前記脚載置台の少なくともいずれかに配設されたマッサージ用袋体と、前記脚載置台の裏側に配設され
この脚載置台を上下方向に回動させる
上下方向に回動させ、
　また、上記従来の問題を解決するために請求項２の発明は、座部およびこの座部の後側に上下方向に回動可能に設けられた背もたれ部を有する椅子本体と、前記座部と前記背もたれ部の少なくともいずれかに配設されたマッサージ用袋体と、前記背もたれ部の裏側に配設された駆動用袋体と、エアー分配器を介して前記マッサージ用袋体および前記駆動用袋体にエアーを供給するエアー供給装置と、このエアー供給装置および前記エアー分配器を制御する制御手段とを具備し、前記制御手段で制御される前記エアー分配器によって、前記駆動用袋体を膨縮させて前記背もたれ部を回動させるとともに、この駆動用袋体の膨張状態を前記背もたれ部が所望の傾斜角に保持されるように維持した状態で前記マッサージ用袋体を膨縮可能に制御されることを特徴としている。」
　
（２）訂正の目的の適否、新規事項の有無及び拡張・変更の存否
　上記訂正事項ａは、駆動用袋体の機能及び脚載置台の動作態様につき、本件特許明細書の段落【００１３】の記載に基いて限定したものであるから、特許請求の範囲の減縮を目的とした明細書の訂正に該当し、また、上記訂正事項ｂは、上記訂正事項ａとの整合を図るものであるから、明りょうでない記載の釈明を目的とした明細書の訂正に該当し、いずれも、新規事項の追加に該当せず、脚載置台を使用者の所望の高さに位置決めするという課題に変更を及ぼすものでもないから、実質的に特許請求の範囲を拡張し、又は変更するものではない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立てについての判断
（１）本件発明
　上記２．で示したように上記訂正が認められるから、本件の請求項１に係る発明（以下、「本件発明」という。）は、上記訂正に係る訂正明細書の特許請求の範囲の請求項１に記載した事項により特定されるとおりのものである（上記２．（１）ア．訂正事項ａ参照）。
　
（２）引用刊行物に記載された発明
ア．当審が通知した取消しの理由で引用した刊行物１（特開平７−１２４２１４号公報）には、空気袋の膨張・収縮によってマッサージを行うエアーマッサージ装置に関し、図面と共に次の事項が記載されている。
　・「図１および図２において、エアマッサージ装置Ａは、マッサージ椅子１０と、マッサージ椅子１０の前側に配置して使用者のふくらはぎ等の下肢をマッサージさせる下肢マッサージ器２０と、エア給排気装置４０を有する。」（第２頁第２欄第２６〜３０行）
　・「マッサージ椅子１０は、座部１１と、…（中略）…背もたれ部１４とを有する。」（第２頁第２欄第３１〜３６行）
　・「背もたれ部１４の上部には、首をマッサージするための首マッサージ部５０が設けられている。首マッサージ部５０は、図３に示すように、背もたれ部１４のフレーム板１５に前面板５１を取り付けて構成してある。」（第２頁第２欄第３８〜４２行）
　・「前面板５１の内側には、矢印方向に移動可能な可動板６０が配置されている。可動板６０には、凹部５２の形状と同形の当接部６１が形成され」（第３頁第３欄第５〜７行）
　・「当接部６１の両側にはスプリング受部６２，６２が連続形成されており、…（中略）…スプリング受部６２，６２と前面板５１の平面部５３，５３との間に空気袋６４，６４が配設されている。」（第３頁第３欄第１５〜２０行）
　・「可動板６０はスプリング６３，６３によって前方（図３において下側）へ常時付勢され、…（中略）…可動板６０の当接部６１が前面板５１の凹部５２の裏面に当接している。空気袋６４，６４が膨張されると、可動板６０はスプリング６３，６３の付勢力に抗して破線位置まで後退するようになっている。」（第３頁第３欄第２１〜２６行）
　・「下肢マッサージ器２０は、…（中略）…本体２１に左右脚用の保持溝（凹状受部）２２，２２を設け、各保持溝２２，２２の対向する部分に各々一対の空気袋２３ａ、２３ｂを対向させて設けたものである。」（第３頁第３欄第３１〜３５行）
　・「図１において、４０は空気袋５５ａ，５５ｂ，６４，２３ａ，２３ｂに空気を供給したり、空気袋５５ａ，５５ｂ，６４，２３ａ，２３ｂ内の空気を排気したりするエア給排気装置である。」（第３頁第３欄第４１〜４４行）
　・「エア給排気装置４０は、図５に示すように、…（中略）…圧縮空気を所定の空気袋５５ａ，５５ｂ，６４，２３ａ，２３ｂに供給する分配切換器４３と、操作パネル１６の操作スイッチ（図示せず）の操作によってエアコンプレッサ４１と分配切換器４３を制御する制御回路４４とを備えている。」（第３頁第３欄第４６行〜第４欄第３行）
　・「上記実施例では、首のマッサージとふくらはぎのマッサージは別々に行うようになっているが、同時に行えるようにしてもよい。また、座部１１や背もたれ部１４に空気袋を配置してもよい」（第４頁第５欄第１９〜２２行）
　・さらに、第１図及び第２図には、エアマッサージ装置の正面図及び側面図が示され、第３図に首マッサージ部５０の構成を示した断面図が、第４図に下肢マッサージ器２０の構成を示した斜視図が、そして第５図にエアマッサージ装置の構成を概略的に示したブロック図が、それぞれ示されている。
　これらの記載事項及び図示内容を総合すると、刊行物１には、以下のとおりの発明（以下、「引用発明１」という。）が記載されているものと認められる。
「座部１１と背もたれ部１４とを有するマッサージ椅子１０と、下肢マッサージ器２０と、前記下肢マッサージ器２０に配設された空気袋２３ａ，２３ｂと、首マッサージ部５０の可動板６０を駆動する空気袋６４と、分配切換器４３を介して前記空気袋２３ａ，２３ｂおよび前記空気袋６４に空気を供給するエアコンプレッサ４１と、このエアコンプレッサ４１および前記分配切換器４３を制御する制御回路４４とを具備し、前記制御回路４４で制御される前記分配切換器４３によって、前記空気袋２３ａ，２３ｂおよび前記空気袋６４が膨張・収縮されるエアマッサージ装置。」
　
イ．同じく引用した刊行物２（特公平３−１５９１０号公報）には、図面と共に次の事項が記載されている。
　・「本発明は椅子型のマッサージ機、殊に座部に足載台が連結されているマッサージ機に関するものである。」（第１頁第２欄第３〜５行）
　・「椅子型のマッサージ機において、オットマンと称される独立した足載台を併用することで、できるだけ安楽な姿勢でマッサージを受けられるようにすることがよく行なわれている。このために、特開昭６０−２１０２６０号公報においては、椅子の座部の前端にこの足載台を連結してしまうことが提案されている。ところで椅子の座部の前端に足載台を連結する場合、足載台を固定としてしまっては、不使用時におけるスペースが問題となる上に、使用者の体格や好みに応じて足載台の位置を変えることができないことから、上記公報に示されたものにしても、足載台を椅子に対して回動自在且つ任意角度で固定自在として、足載台の上面の傾斜角度を可変とすることが行なわれている。」（第１頁第２欄第７〜２１行）
　・「また、足載台１の上面はブレーキ機構５によって任意の傾斜角度にセットすることができるとともに、この時のシート２０前端から足載台１までの距離も、ガイド部材４に対して足載台１をスライドさせることによって設定することができるために、使用者はその体格や好みに応じた姿勢をとることができるものであり、そしてここにおける足載台１は振動マッサージ器を内蔵していることから、大腿部あるいはふくらはぎに対する振動マッサージを得ることができるものである。」（第４頁第７欄第３２〜４１行）
　・「以上のように本発明においては、足載台を回動自在としてあることから、足載台の上面の傾斜角度を使用者は体格や好みに応じたものとすることができ」（第４頁第８欄第２３〜２６行）
  ・さらに、第３図には、振動マッサージ器を内蔵した足載台がシート前端で上下方向に回動可能とした構成が示されている。
　
ウ．同じく引用した刊行物３（特開平７−３９５７１号公報）には、図面と共に次の事項が記載されている。
　・「背もたれの自動リクライニング機能及びオットマンの自動引き出し機能を備えた椅子式マッサージ機」（【特許請求の範囲】【請求項３】）
　・「従来、ガススプリング式によるリクライニング機構、機械式によるオットマン引き出し機構（リンク方式、ネジ止め式等）を有する椅子式マッサージ機が種々提供されている。」（段落【０００２】）
　・「以下、本発明を図示された実施例に基づいて詳述する。本発明におけるマッサージ機は、着座した状態でマッサージを受けることができる椅子式マッサージ機Ａであり」　（段落【０００８】）
　・「図１乃至図４には背もたれ１の起倒及びオットマン３の出し入れ操作が手動で行なわれる手動式のものが示されており、図５乃至図１６には背もたれ１の起倒及びオットマン３の出し入れ操作が電動で行なわれる電動式のものが示されている。」（段落【０００９】）
　・「オットマン３はリンク機構９によって回動しながら略水平状態となるように前方に突出させられるようになっており、使用者が着座して脚を前方に伸ばしてオットマン３に載せた状態で振動マッサージを受けることができるようになっている。」
（段落【００１１】）
　・「そして、マッサージを行なうにあたり、片手で簡単に背もたれ１の操作とオットマン３の操作を同時に行なうことができるものであり、使い勝手が良いと共に短時間で良好なマッサージ姿勢を簡易に選択することができるものである。」（段落【００１５】）
　・さらに、第３図、第８図、第９図及び第１５図には、オットマン３が上下方向に回動される構成が示されている。
　
エ．同じく引用した刊行物４（実公平６−１４５９５号公報）には、図面と共に次の事項が記載されている。
　・「サイサポート部のサイサポート板とサイサポート部底面とにわたり、サイサポート板を上下動せしめる伸縮体を配設すると共に、…（中略）…前記各伸縮体がエアー供給装置と連絡した複数のエアーバック体を重ね合わせると共に、これらを連通状に接合して構成され、かつ夫々別個に作動することを特徴とする車輌用シート。」（第１頁第１欄第５〜１３行）
　・「本考案は、車輌用シート、詳しくは座部前方に備えられるサイサポート部（ふくらはぎのせ部）を各使用者の体型，好みの体勢等に合わせて調整する自動調整機構を備えた車輌用シートの改良に関する。」（第１頁第２欄第１〜４行）
　・「その目的とするところは、エアー供給装置と連絡した複数のエアーバック体を重ね合わせると共に、これらを連通状に接合して構成されている伸縮体の膨張，収縮作動により、サイサポート部の前後移動およびサイサポート板の上下動を夫々別動作せしめ、サイサポート部の使用位置が任意位置で選択可能な車輌用シートを提供し、サイサポート部付き車輌用シートの使用勝手を向上せしめることである。」（第２頁第３欄第１２〜１９行）
　・「上記せる技術的手段により、サイサポート板とサイサポート部底面とにわたって備えたサポート板上下動用の伸縮体内に空気を供給せしめると、空気供給量に応じて伸縮体を構成する連通状に接合された各エアーバック体が膨張し、エアーバック体の重なる方向へ伸張してサポート板を上方へ押圧し、サイサポート部表面が上方へ持ち上り最適位置で空気の供給を停止する。」（第２頁第３欄第３４〜４０行）
　・「伸縮体内の空気を排出し、伸縮体を収縮せしめると、伸縮体を構成するエアーバック体の膨張時におけるサポート板に対する押圧力は弱まり、サイサポート部は下方へ移動し、最適位置で空気の排出を停止する。」（第２頁第４欄第２〜５行）
　・「サイサポート板（２ｂ″）が軸着部（２ｃ）を支点として上方へ持ち上げられ…（中略）…（２ｃ）を支点として回動し下方へ移動する。」（第３頁第６欄第２６〜３７行）
　・「上記座部上下動用サポート板（８），サイサポート板（２ｂ″）及びサイサポート部前後動用の押出部（２ａ）は、夫々各人の体型あるいは好みの体勢に合わせるために個別に各個所のみを作動せしめるのも自由である。」（第３頁第６欄第４４〜４７行）
とそれぞれ記載され、
　・さらに、第２図及び第３図には、サイサポート部を駆動する伸縮体の収縮時及び膨張時における要部縦断側面図が示されている。
　
オ．同じく引用した刊行物５（特開平２−２６７０３５号公報）には、図面と共に次の事項が記載されている。
　・「本発明は、支持部の突出角度を座る人の好みに応じて自由に変えることのできる足の姿勢補助装置を提供することを目的としている。」（第１頁右下欄第１７〜１９行）
　・「本発明の補助装置の支持部は、使用時座部の前方に突出して座った人の足の膝の裏側を支える。支持部の突出角度は、例えば、空気袋へ空気を供給して支持部を上方へ傾動させるとともに、空気袋の空気を外へ出して支持部を下方へ傾動させることにより、座る人がその好みに応じて調節する。」（第２頁左上欄第１８行〜右上欄第４行）
　・「なお、前記固定板６、クッション１２及びカバー１３により、使用時足の膝の裏側を支える支持部１４が構成されている。固定板６と可動板１０との間には３個のビニール製空気袋１５が可動板１０の傾動方向に重ねて設けられており、３個の空気袋１５は互いに連通している。…（中略）…ポンプ１６を用いて空気袋１５へ空気を供給できるようになっている。」（第２頁左下欄第１１行〜右下欄第１行）
　・さらに、第１図及び第２図には、座席の補助装置の使用状態及び不使用状態が示されている。
　
（３）対比
　本件発明と引用発明１とを対比すると、後者における「座部１１を有するマッサージ椅子１０」が、その作用・機能からみて前者における「座部を有する椅子本体」に相当し、以下同様に、「下肢マッサージ器２０」が「脚載置台」に、「下肢マッサージ器２０に配設された空気袋２３ａ，２３ｂ」が「座部と脚載置台の少なくともいずれかに配設されたマッサージ用袋体」に、「分配切換器４３」が「エアー分配器」に、「空気」が「エアー」に、「エアコンプレッサ４１」が「エアー供給装置」に、「制御回路４４」が「制御手段」に、「膨張・収縮」が「膨縮」に、「エアマッサージ装置」が「椅子式エアーマッサージ機」に、それぞれ相当する。
　また、引用発明１における「空気袋６４」は、使用者の身体に直接接触してマッサージを行う下肢マッサージ器２０の「空気袋２３ａ，２３ｂ」とは異なり、首マッサージ部５０の可動板６０を駆動するものであるから、「駆動用袋体」と捉えることができる。
　したがって、両者は、
「座部を有する椅子本体と、脚載置台と、前記座部と前記脚載置台の少なくともいずれかに配設されたマッサージ用袋体と、駆動用袋体と、エアー分配器を介して前記マッサージ用袋体および前記駆動用袋体にエアーを供給するエアー供給装置と、このエアー供給装置および前記エアー分配器を制御する制御手段とを具備し、前記制御手段で制御される前記エアー分配器によって、前記マッサージ用袋体が膨縮される椅子式エアーマッサージ機。」
において一致し、以下の２点で相違している。
［相違点１］
　本件発明は、脚載置台が「座部に上下方向に回動可能に設けた」ものであり、駆動用袋体が「脚載置台の裏側に配設されこの脚載置台を上下方向に回動させる」ものであるのに対し、引用発明１は、脚載置台が座部の前側に単に配置されたものであり、駆動用袋体は首マッサージ部の可動板を駆動するものである点。
［相違点２］
　本件発明は、「駆動用袋体を膨縮させて脚載置台を上下方向に回動させ、この駆動用袋体の膨張状態を前記脚載置台が所望の高さ位置に保持されるように維持した状態で」マッサージ用袋体が膨縮されるのに対し、引用発明１は、かかる関係を有していない点。
　
（４）判断
　以下、上記各相違点について検討する。
・相違点１について
　脚載置台付き椅子において、脚載置台の裏側に配設された駆動用袋体にエアーを供給し、該駆動用袋体を膨縮させて、前記脚載置台を座部に上下方向に回動可能に設けることは、刊行物４及び５に記載されているように周知の技術である。
　そして、上記刊行物４及び５に記載の発明は、いずれも自動車の座席に関するものであるが、これらの発明と引用発明１とは、脚載置台付き椅子という技術分野で共通しており、引用発明１における、座部の前側に単に配置された脚載置台に替えて、刊行物４又は５に記載の構成を採用し、上記相違点１に係る本件発明の構成とすることは、当業者が容易に想到し得るところである。
・相違点２について
　脚載置台を上下方向に回動させ、前記脚載置台が所望の高さ位置に保持されるように維持した状態でマッサージを受けるようにすることは、刊行物２又は３に記載されているように、マッサージ機の分野における周知技術である。
　そうすると、引用発明１に上記刊行物４又は５に記載の構成を採用したものにおいても、「駆動用袋体を膨縮させて脚載置台を上下方向に回動させ、この駆動用袋体の膨張状態を前記脚載置台が所望の高さ位置に保持されるように維持した状態で」マッサージを受けるようにすること、即ち、前記した状態でマッサージ用袋体が膨縮されるようにすることは、当業者であれば当然考慮すべき事項にすぎない。
　そして、本件発明により奏される効果も、上記刊行物１ないし５に記載された事項から、当業者が予測し得る範囲内のものである。
　したがって、本件発明は、上記刊行物１ないし５に記載の発明に基いて当業者が容易に発明をすることができたものである。
　
（５）むすび
　以上のとおりであるから、本件発明は、特許法第２９条第２項の規定により特許を受けることができない。
　したがって、本件発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１５年１０月２３日（２００３．１０．２３）
【訂正の要旨】
審決（決定）の【理由】欄参照。
（５４）【発明の名称】
椅子式エアーマッサージ機
（５７）【特許請求の範囲】
　【請求項１】
　座部を有する椅子本体と、
　前記座部に上下方向に回動可能に設けた脚載置台と、
　前記座部と前記脚載置台の少なくともいずれかに配設されたマッサージ用袋体と、
　前記脚載置台の裏側に配設されこの脚載置台を上下方向に回動させる駆動用袋体と、
　エアー分配器を介して前記マッサージ用袋体および前記駆動用袋体にエアーを供給するエアー供給装置と、
　このエアー供給装置および前記エアー分配器を制御する制御手段とを具備し、
　前記制御手段で制御される前記エアー分配器によって、前記駆動用袋体を膨縮させて前記脚載置台を上下方向に回動させ、この駆動用袋体の膨張状態を前記脚載置台が所望の高さ位置に保持されるように維持した状態で前記マッサージ用袋体が膨縮されることを特徴とする椅子式エアーマッサージ機。
　【請求項２】
　座部およびこの座部の後側に上下方向に回動可能に設けられた背もたれ部を有する椅子本体と、
　前記座部と前記背もたれ部の少なくともいずれかに配設されたマッサージ用袋体と、
　前記背もたれ部の裏側に配設された駆動用袋体と、
　エアー分配器を介して前記マッサージ用袋体および前記駆動用袋体にエアーを供給するエアー供給装置と、
　このエアー供給装置および前記エアー分配器を制御する制御手段とを具備し、
　前記制御手段で制御される前記エアー分配器によって、前記駆動用袋体を膨縮させて前記背もたれ部を回動させるとともに、この駆動用袋体の膨張状態を前記背もたれ部が所望の傾斜角に保持されるように維持した状態で前記マッサージ用袋体を膨縮可能に制御されることを特徴とする椅子式エアーマッサージ機。
【発明の詳細な説明】
　【０００１】
　【産業上の利用分野】
　この発明は、椅子本体に配設された袋体にコンプレッサー等からなるエアー供給手段から圧搾空気を給排気して、前記袋体を膨縮してマッサージを行う椅子式エアーマッサージ機に関する。
　【０００２】
　【従来の技術】
　従来、椅子式エアーマッサージ機の背もたれ部、座部等の身体を支持する部位にエアーの給排気により膨縮する複数の袋体を配設し、コンプレッサー等からなるエアー供給手段からエアーホースを介して前記袋体に圧搾空気つまりエアーを給排気して、この袋体を膨縮してマッサージを行うエアーマッサージ機は広く知られている。
　【０００３】
　そして、この種の椅子式エアーマッサージ機の中には図５に示すように、座部１０１および背もたれ部１０２からなる椅子本体１００の前記座部１０１および背もたれ部１０２に複数の袋体１０３ないし１０６を配設するとともに、前記座部１０１の前部に位置して一対のＵ字状の溝部１０７ａ、１０７ａが設けられた脚載置台１０７を上下方向に回動可能に設けたものがある。そして、脚載置台１０７の両溝部１０７ａ、１０７ａの両側には脚用袋体１０８ａないし１０８ｄが配設されている。また、前記座部１０１の下には図示しないロータリー弁からなる分配器が設けられたエアーコンプレッサーが設けられ、このエアーコンプレッサーの分配器と前記袋体１０３ないし１０６および脚用袋体１０８ａないし１０８ｄとを図示しないエアーホースで接続し、図示しない制御手段により前記エアーコンプレッサーおよび分配器を制御して給排気をしマッサージを行うようにしているのものである。
　【０００４】
　ところで、上記従来のものにおいては、脚載置台１０７を上下方向に回動して位置決めできるようになっているものの、その位置決めは複数の位置に段階的にしか位置決めできないものであり、使用者が自己のマッサージに最も適した位置に位置決めすることはできないものである。また、この回動および位置決機構は例えば図示しない複数の杆を組み合わせて構成した伸縮杆等と図５に示すように操作レバー１１０によって構成されているものであることから、回動および位置決機構が複雑となりその組立作業が容易ではなく、また、機械的構造であることから動作不良等の故障が生じやすいという問題がある。
　【０００５】
　また、使用者はマッサージをする場合は前記座部１０１に座り脚を前記脚載置台１０７に載置するとともに背中を背もたれ部１０２に当てた状態つまりよりかけた状態でマッサージを行うものであるが、この際、前記脚載置台１０７を上下方向に回動させようとするときは、その都度図５に示す肘掛部１０９の下方に設けられた前記操作レバー１１０を操作しなければならないものである。また、脚載置台１０７の高さ位置が所望の高さとなっているか否かは使用者が座部１０１に座り背もたれ部１０２に背中をよりかけた状態ではじめて確認できる場合が多いものであることから、使用者は脚載置台１０７の位置を変えようとする場合は、その都度背もたれ部１０２から体を起こして操作レバー１１０を操作しなければならないという不都合がある。
　【０００６】
　【発明が解決しようとする課題】
　上述のように従来のエアーマッサージ機においては、使用者は脚載置台の位置を所望の位置に位置決めできないことから効果的なマッサージができないことに加えて位置決め操作の操作性が悪いという問題があり、また、回動および位置決機構が複雑であることから組立工数が増加し作業性が悪くまた、故障等が生じ易いという問題がある。
　【０００７】
　【課題を解決するための手段】
　この発明は上記従来の問題を解決するものであり、請求項１記載の発明は、座部を有する椅子本体と、前記座部に上下方向に回動可能に設けた脚載置台と、前記座部と前記脚載置台の少なくともいずれかに配設されたマッサージ用袋体と、前記脚載置台の裏側に配設されこの脚載置台を上下方向に回動させる駆動用袋体と、エアー分配器を介して前記マッサージ用袋体および前記駆動用袋体にエアーを供給するエアー供給装置と、このエアー供給装置および前記エアー分配器を制御する制御手段とを具備し、前記制御手段で制御される前記エアー分配器によって、前記駆動用袋体を膨縮させて前記脚載置台を上下方向に回動させ、この駆動用袋体の膨張状態を前記脚載置台が所望の高さ位置に保持されるように維持した状態で前記マッサージ用袋体が膨縮されることを特徴としている。
　また、上記従来の問題を解決するために請求項２記載の発明は、座部およびこの座部の後側に上下方向に回動可能に設けられた背もたれ部を有する椅子本体と、前記座部と前記背もたれ部の少なくともいずれかに配設されたマッサージ用袋体と、前記背もたれ部の裏側に配設された駆動用袋体と、エアー分配器を介して前記マッサージ用袋体および前記駆動用袋体にエアーを供給するエアー供給装置と、このエアー供給装置および前記エアー分配器を制御する制御手段とを具備し、前記制御手段で制御される前記エアー分配器によって、前記駆動用袋体を膨縮させて前記背もたれ部を回動させるとともに、この駆動用袋体の膨張状態を前記背もたれ部が所望の傾斜角に保持されるように維持した状態で前記マッサージ用袋体を膨縮可能に制御されることを特徴としている。
　【０００８】
　【作用】
　上記のように構成したことにより、請求項１記載の発明においては、座部に対して上下方向に回動可能な脚載置台を無段階に位置決めできるものであり、使用者は自己の所望する高さ位置に正確に位置決めできるものである。また、脚載置台の回動および位置決めは給排気されるエアーによって脚載置台の裏側で膨縮する駆動用袋体の膨縮によってなされ、この駆動用袋体の膨張状態を保持した状態で、座部と脚載置台の少なくともいずれかに配設されたマッサージ用袋体を膨縮させるものであることから、構成が簡単で組み立てが容易であり、また故障が生じにくいものである。
　同様に、請求項２記載の発明においては、座部に対して上下方向に回動可能な背もたれ部を無段階に位置決めできるものであり、使用者は自己の所望する傾斜角に正確に位置決めできるものである。また、背もたれ部の回動および位置決めは給排気されるエアーによって背もたれ部の裏側で膨縮する駆動用袋体の膨縮によってなされ、この駆動用袋体の膨張状態を保持した状態で、座部と背もたれ部の少なくともいずれかに配設されたマッサージ用袋体を膨縮させるものであることから、構成が簡単で組み立てが容易であり、また故障が生じにくいものである。
　【０００９】
　【実施例】
　つぎに、この発明を椅子式エアーマッサージ機に適用した場合の実施例を図１ないし図４に基づいて説明する。図において、１は椅子本体で、この椅子本体１はほぼ水平に設けられ身体を支持する座部２、この座部２の後側に配設された前記座部２に対して回動可能に設けられ所定の角度傾斜して位置決めされ身体を支持する背もたれ部３および前記座部２の両側に位置して設けられた肘掛け部４とから構成されている。また、前記座部２の前方に位置して上方を解放したＵ字状の一対の脚載部５ａを有する脚載置台５が回動可能に設けられている。
　【００１０】
　そして、前記座部２には気密性を有するとともに軟質部材からなり圧搾空気つまりエアーの給排気に伴い膨縮する腿用袋体６および尻用袋体７が配設されている。また、前記背もたれ部３には、身体つまり背中を支持する図示しない枠部材が設けられ、この枠部材に支持されてエアーの給排気に伴い膨縮する腰用袋体８、背筋用袋体９、背中用袋体１０および支持部材１２に取り付けられた首・肩用袋体１１が配設されている。なお、前記首・肩用袋体１１が取り付けられた支持部材１２は前記枠部材に長手方向を縦方向にして形成された長溝状の案内孔１３内に図示しないばね等により枠部材に圧接されつつ上下方向に摺動可能にかつ任意位置に位置決め可能にして設けられている。また、前記袋体６ないし１０は図示しない内袋に収納し、この内袋を前記座部２および背もたれ部３に配置して設けられ、この内袋は布等のカバー３ａで覆われている。
　【００１１】
　また、前記椅子本体１の両肘掛け部４の下部には支持脚１４が設けられており、この支持脚１４には支持板１５が取り付けられている。そして、この支持板１５にエアー供給装置としてのエアーコンプレッサー３０が前記座部の下に位置して取り付けられている。このエアーコンプレッサー３０にはロータリー弁等からなる従来周知のエアー分配器３１（図１、図２では不図示）が設けられており、このエアー分配器３１と前記各袋体６ないし１１とはエアー給排気路を構成するエアーホース６ａないし１１ａによって接続されている。なお、前記エアーコンプレッサー３０およびエアー分配器３１は制御手段３２（図１、図２では不図示）によって制御され前記各袋体へのエアーの給排気がなされるようになっている。
　【００１２】
　そして、前記脚載置台５は図２に示すように肘掛け部４内に設けられた図示しないフレーム枠に取り付けられた回動軸１６によって、この回動軸１６を中心として上下方向に回動自在に取り付けられている。また、脚載置台５の脚載部５ａ、５ａのそれぞれの両側壁には互いに対向する脚用袋体５１ないし５４が配設されている。これら脚用袋体５１ないし５４にはエアー給排気路としてのエアーホース５ｂを分岐して設けたエアーホース５１ａないし５４ａが接続され、これらエアーホース５１ａないし５４ａの他端は前記エアー分配器３１に接続され、このエアー分配器３１を介してエアーコンプレッサー３０からエアーの給排気によって膨縮するものである。
　【００１３】
　また、前記座部２の前部下方に位置して受板２０が設けられており、この受板２０と前記脚載置台５の下側面つまり脚載置部５ａが設けられている側と反対側の面との間には駆動用袋体２１が配設されている。この駆動用袋体２１は、図４に示すように駆動用袋体２１に一体に設けた取付片２２をねじ２３とナット２４とによって受板２０に取り付けることにより、脚載置台５と受板２０との間に配設され、また、この駆動用袋体２１にはエアー給排気路としてのエアーホース２１ａが接続され、このエアーホース２１ａは前記エアー分配器３１に接続されている。そして、エアー分配器３１を介してエアーコンプレッサー３０からエアーの給排気によって前記駆動用袋体２１は膨縮し、この膨縮に伴って前記脚載置台５は上下方向に回動するものである。
　【００１４】
　すなわち、この駆動用袋体２１にエアー分配器３１を介してエアーコンプレッサー３０からエアーの供給が開始されると、このエアーの供給に伴って駆動用袋体２１は次第に膨脹し、駆動用袋体２１は前記脚載置台５をその裏面を介して上方に押し上げることになる。したがって、脚載置台５は回動軸１６を中心として図２において時計方向に回動し上方に移動しその高さ位置は次第に高くなる。そして、所望の高さ位置になったときに、エアー分配器３１を制御してエアーの供給を停止すれば、駆動用袋体２１の膨脹は停止し、その膨脹状態を維持することになり、脚載置台５は前記所望の高さ位置に保持されるものである。また、逆に、前記エアー分配器３１を制御して駆動用袋体２１内のエアーの排気を開始すると、この排気に伴って駆動用袋体２１は次第に収縮し、この収縮に伴って脚載置台５は回動軸１６を中心として図において反時計方向に回動し下方に移動しその高さ位置は次第に低くなる。そして、所望の高さ位置になったときに、エアー分配器３１を制御してエアーの排気を停止すれば、駆動用袋体２１の収縮は停止し、その膨脹状態を維持することになり、脚載置台５は前記所望の高さ位置に保持されるものである。
　【００１５】
　なお、前記駆動用袋体２１が最大に膨脹した状態では前記脚載置台５は座部２の座面と略同一面となり、また、最も収縮した状態では座部２の座面に対して略直角となるように前記駆動用袋体２１は設定されている。
　【００１６】
　また、前記背もたれ部３は図２に示すように肘掛け部４内に設けられた図示しないフレーム枠に取り付けられた回動軸１７によって、この回動軸１７を中心として上下方向に回動自在に取り付けられている。また、背もたれ部３の前記回動軸１７が設けられた近傍位置に図２に示すように肘掛け部４内に設けられた図示しないフレーム枠に取り付けられて支持板２５が設けられており、この支持版２５と背もたれ部３との間に位置して図示しないねじにより支持板２５に取り付けられた駆動用袋体２６が配設されている。この駆動用袋体２６には給排気路としてのエアーホース２６ａが接続され、このエアーホース２６ａの他端は前記エアー分配器３１に接続されている。そして、エアー分配器３１を介してエアーコンプレッサー３０からエアーの給排気によって前記駆動用袋体２６は膨縮し、この膨縮に伴って背もたれ部３は上下方向に回動するものである。
　【００１７】
　すなわち、この駆動用袋体２６にエアー分配器３１を介してエアーコンプレッサー３０からエアーの供給が開始されると、このエアーの供給に伴って駆動用袋体２６は次第に膨脹し、駆動用袋体２６は背もたれ部３をその裏面を介して上方に押し上げることになる。したがって、背もたれ部３は回動軸１７を中心として図２において反時計方向に回動し上方に移動しその傾斜角つまり座部２の座面と背もたれ部３の身体を受ける面とのなす角は次第に小さくなり背もたれ部３は前記座面に対して急勾配となる。そして、所望の傾斜角になったときに、エアー分配器３１を後述するリモートコントロール装置３３により制御してエアーの供給を停止すれば、駆動用袋体２６の膨脹は停止し、その膨脹状態を維持することになり、背もたれ部３は前記所望の傾斜角に保持されるものである。また、逆に、リモートコントロール装置３３により前記エアー分配器３１を制御して駆動用袋体２６内のエアーの排気を開始すると、この排気に伴って駆動用袋体２６は次第に収縮し、この収縮に伴って背もたれ部３は回動軸１７を中心として図において時計方向に回動し下方に移動しその傾斜角は次第に大きくなり背もたれ部３は前記座面に対して緩勾配となる。そして、所望の傾斜角になったときに、リモートコントロール装置３３によりエアー分配器３１を制御してエアーの排気を停止すれば、駆動用袋体２６の収縮は停止し、その膨脹状態を維持することになり、背もたれ部３は前記所望の傾斜角に保持されるものである。
　【００１８】
　なお、前記駆動用袋体２６が最大に膨脹した状態では前記背もたれ部３はあらかじめ定められた最小の傾斜角となり、また、最も収縮した状態では同様に定められた最大傾斜角となるように前記駆動用袋体２６は設定されている。
　【００１９】
　つぎに、上記椅子式マッサージ機の制御について図３に示すブロック図に基づいて説明する。図に示すように前記エアーコンプレッサー３０にはエアー分配器３１がエアーホース３１ａを介して接続され、このエアー分配器３１は上述したようにエアーホース６ａないし１１ａを介して腿用袋体６ないし首・肩要袋体１１が、またエアーホース５ｂ、５１ａないし５４ａを介して脚用袋体５１ないし５４がそれぞれ接続され、また、エアーホース２１ａを介して駆動用袋体２１が、エアーホース２６ａを介して駆動用袋体２６がそれぞれ接続されている。そして、前記エアーコンプレッサー３０およびエアー分配器３１はマイクロコンピューターを含む制御手段３２によって制御されるようになっている。この制御手段３２はリモートコントロール装置３３によって制御されるようになっている。
　【００２０】
　そして、使用者は前記リモートコントロール装置３３によって種々のマッサージモードの中から所望のマッサージモードを選択してマッサージを行うものである。このマッサージモードとしては例えば所定の順序と時間にしたがって各袋体を膨縮させて全身または上半身あるいは下半身をマッサージするコースモード、また、首・肩、腰あるいは脚等の各部を部分的にマッサージするポイントモード等従来の各種マッサージモードが備えられているものである。
　【００２１】
　ここで、前記脚載置台５の高さ位置を調節する場合つまり上下方向に回動させる場合について説明する。まず、脚載置台５の高さ位置を高くしたい場合は、使用者は座部２に座り所望に応じて背中を背もたれ部３によりかけ、ついで前記リモートコントロール装置３３を操作してエアー分配器３１を介してエアーコンプレッサー３０からエアーを前記駆動用袋体２１に供給する。このエアーの供給に伴って駆動用袋体２１は次第に膨脹し、この膨脹に伴って脚載置台５は回動軸１６を中心に時計方向に回動し次第に上方に移動する。使用者は脚載置台５が所望の高さ位置になったとき、再び前記リモートコントロール装置３３を操作して駆動用袋体２１へのエアーの供給を停止させる。そうすると前記駆動用袋体２１はその膨脹状態を維持し脚載置台５は前記所望の高さ位置に保持される。また、逆に、高さ位置を低くしたいときは、リモートコントロール装置３３を操作してエアー分配器３１を介して駆動用袋体２１内のエアーの排気を開始させると、この排気に伴って駆動用袋体２１は次第に収縮し、この収縮に伴って脚載置台５は回動軸１６を中心に反時計方向に回動し次第に下方に移動する。使用者は脚載置台５が所望の高さ位置になったとき、再び前記リモートコントロール装置３３を操作して駆動用袋体２１からのエアーの排気を停止させる。そうすると前記駆動用袋体２１はその収縮状態を維持し脚載置台５は前記所望の高さ位置に保持される。
　【００２２】
　つぎに、前記背もたれ部３の傾斜角つまり勾配を調節する場合について説明する。まず、背もたれ部３の傾斜角を小さくし急勾配としたい場合は、使用者は座部２に座り所望に応じて背中を背もたれ部３にもたせかけ、ついで前記リモートコントロール装置３３を操作してエアー分配器３１を介してエアーコンプレッサー３０からエアーを前記駆動用袋体２６に供給する。このエアーの供給に伴って駆動用袋体２６は次第に膨脹し、この膨脹に伴って背もたれ部３は回動軸１７を中心に反時計方向に回動し次第に傾斜角が小さくなり勾配も次第に急になる。使用者は背もたれ部３が所望の傾斜角になったとき、再び前記リモートコントロール装置３３を操作して駆動用袋体２６へのエアーの供給を停止させる。そうすると前記駆動用袋体２６はその膨脹状態を維持し背もたれ部３は前記所望の傾斜角に保持される。また、逆に、傾斜角を緩やかにしたいときは、リモートコントロール装置３３を操作してエアー分配器３１を介して駆動用袋体２６内のエアーの排気を開始させると、この排気に伴って駆動用袋体２６は次第に収縮し、この収縮に伴って背もたれ部３は回動軸１７を中心に時計方向に回動し次第に傾斜角は大きくなり勾配も次第に緩やかになる。使用者は背もたれ部３が所望の傾斜角になったとき、再び前記リモートコントロール装置３３を操作して駆動用袋体２６からのエアーの排気を停止させる。そうすると前記駆動用袋体２６はその収縮状態を維持し背もたれ部３は前記所望の傾斜角に保持されるものである。
　【００２３】
　上記のようにして脚載置台５の高さ位置および背もたれ部３の傾斜角の調節はなされるものである。
　【００２４】
　そして、この脚載置台５の高さ位置の調節および背もたれ部３の傾斜角の調節は、エアーの給排気による駆動用袋体２１および２６の膨縮によってなされることから無段階にしかもスムーズになされるものである。また、リモートコントロール装置３３により前記調節ができることから、使用者はマッサージをする姿勢の状態で所望の高さ位置に正確に調節ができるものである。また、脚載置台５および背もたれ部３の回動および位置決機構は駆動用袋体２１および２６へのエアーの給排気によってなすものであるから従来のような機械的要素によって構成されているものに比べて故障等の発生がしにくく、また構成も簡単であることから組立作業性が良く組立工数の低減を図ることができるものである。また、この駆動用袋体２１、２６へのエアーの供給は、エアーマッサージ機に使用されているエアーコンプレッサー３０をそのまま共用できることから低コスト化が図れるという利点があるものである。また、背もたれ部３の場合は、駆動用袋体２６がクッション作用をなすという利点もあるものである。
　【００２５】
　つぎに、上記椅子式マッサージ機の動作について説明する。まず、使用者は座部２に座り脚載置台５の脚載置部５ａに脚を載せ、所望に応じて背中を背もたれ部３によりかけ、ついで、リモートコントロール装置３３を操作して、脚載置台５の高さ位置および背もたれ部３の傾斜角をそれぞれ所望の高さ位置および傾斜角に調節する。ついで、前記リモートコントロール装置３３を操作して所望のマッサージモードを選択して動作開始釦を操作して動作させる。そうすると前記エアーコンプレッサー３０からエアー分配器３１を介して前記選択されたマッサージモードに応じて前記各袋体６ないし１１へのエアーの給排気がなされて被施療部のマッサージがなされる。そして、前記脚載置台５および背もたれ部３の傾斜角の調節は駆動用袋体２１および２６を膨縮させることにより無段階になすことができるため、正確にしかもスムーズに調節できるものである。
　【００２６】
　【発明の効果】
　上記のように構成した請求項１記載の発明は、座部に対して脚載置台を無段階に位置決めできるものであり、使用者は自己の所望する高さ位置に正確にかつ容易に位置決めでき、また、脚載置台の回動および位置決めは給排気されるエアーによって膨縮する駆動用袋体によってなされ、そして、この駆動用袋体の膨縮と椅子本体のマッサージ用袋体の膨縮とにエアー供給装置が共用されるものであることから構成が簡単であり、また、故障の発生も少なくできるという効果を奏することができるものである。
　上記のように構成した請求項２記載の発明は、座部に対して背もたれ部を無段階に位置決めできるものであり、使用者は自己の所望する傾斜角に正確にかつ容易に位置決めでき、また、背もたれ部の回動および位置決めは給排気されるエアーによって膨縮する駆動用袋体によってなされ、そして、この駆動用袋体の膨縮と椅子本体のマッサージ用袋体の膨縮とにエアー供給装置が共用されるものであることから構成が簡単であり、また、故障の発生も少なくできるという効果を奏することができるものである。
【図面の簡単な説明】
　【図１】
　本発明を椅子式マッサージ機に適用した場合における実施例の椅子本体の全体を示す斜視図。
　【図２】
　上記実施例の椅子本体の前部の一部を断面して示した図。
　【図３】
　上記実施例の制御ブロック図。
　【図４】
　上記実施例の駆動用袋体の取り付け方を示す図。
　【図５】
　従来の椅子式マッサージ機の全体斜視図。
　【符号の説明】
　１　　　　椅子本体
　２　　　　座部
　３　　　　背もたれ部
　５　　　　脚載置台
　６〜１１　マッサージ用袋体
　１６、１７　回動軸
　３０　　　エアーコンプレッサー（エアー供給装置）
　６ａ〜１１ａ　エアーホース（給排気路）
　２１、２６　駆動用袋体
　２１ａ　　エアーホース（給排気路）
　２６ａ　　エアーホース（給排気路）
　３１　エアー分配器
　３２　制御手段
　５１〜５４　脚用袋体